(57)【要約】      （修正有）【課題】電気配線工事や家屋解体工事における電線切断作業の軽減と作業時間の短縮ができ、なお安全作業を得る電線切断工具を提供する。【解決手段】切断刃１と１′に穴１０・１０′・１２・１２′を設け、前方斜カット安定台３と３′に右穴１１・左穴１１・右穴１１′・左穴１１′を設け、切断刃１を右に切断刃１′を左に設け、これをサンドイッチ状に上部に前方斜カット安定台３下部に前方斜カット安定台３′を設け、心棒７・７′を設け装着し、握り取っ手２と２′に上穴１３・下穴１３・上穴１４・下穴１４・上穴１３′・下穴１３′・上穴１４′・下穴１４′を設け、切断刃１と１′に握り取っ手２・２′を心棒６・６′を設け装着し、握り取っ手溝１５・１５′とスプリング輪１６を設け、握り取っ手２と２′とスプリング輪１６を心棒５を設け装着する。【選択図】図２
0003145602.tif 000002
【実用新案登録請求の範囲】
【請求項１】
（イ）切断刃（１）・（１′）の前方先端に刃先（１７）・（１７′）を設け、切断刃（１）の中央付近左横に歯車（８）を設け、切断刃（１′）の中央付近右横に歯車（９）を設け、切断刃（１）中央付近に穴（穴１０）後方部に穴（穴１２）を設け、切断刃（１′）中央付近に穴（穴１０′）後方部に穴（穴１２′）を設け、前方斜カット安定台（３）の右に穴（右穴１１）左に穴（左穴１１）を設け、前方斜カット安定台（３′）の右に穴（右穴１１′）を左に穴（左穴１１′）を設け、切断刃（１）の左側に切断刃（１′）を設け、切断刃（１）・（１′）の下に前方斜カット安定台（３′）上に前方斜カット安定台（３）を設け、前方斜カット安定台（３）の穴（右穴１１）の下に切断刃（１）の穴（穴１０）・前方斜カット安定台（３′）の穴（右穴１１′）・心棒（７）を設け、前方斜カット安定台（３）の穴（左穴１１）の下に切断刃（１′）の穴（穴１０′）・前方斜カット安定台（３′）の穴（左穴１１′）・心棒（７′）を設け装着する。
（ロ）握り取っ手（２）・（２′）に握り取っ手溝（１５）・（１５′）を設け、握り取っ手（２）の前端に穴（上穴１３）・（下穴１３）を設け、握り取っ手（２）の前部に穴（上穴１４）・（下穴１４）を設け、握り取っ手（２′）の前端に穴（上穴１３′）・（下穴１３′）を設け、握り取っ手（２′）の前部に穴（上穴１４′）・（下穴１４′）を設け、握り取っ手（２）の穴（上穴１３）の下に切断刃（１）の穴（穴１２）・心棒（６）を設け、握り取っ手（２′）の穴（上穴１３′）の下に切断刃（１′）の穴（穴１２′）・心棒（６′）を設け装着する。
（ハ）スプリング（４）にスプリング輪（１６）を設け、握り取っ手溝（１５）・（１５′）にスプリング（４）を設け、握り取っ手（２）の穴（上穴１４）の下に握り取っ手（２′）の穴（上穴１４′）・スプリング輪（１６）・握り取っ手（２′）穴（下穴１４′）・心棒（５）を設け装着する。
以上の構成によりなる電線カッターである。
【考案の詳細な説明】
【技術分野】
【０００１】  この考案は電気配線工事や家屋解体工事における被覆電線切断作業が軽減できる切断口の広い電線カッター工具に関するものである。
【背景技術】
【０００２】  従来より被覆電線切断には古くから使われているペンチ類があった、これは切断の握り取っ手に加える握力が多く必用とした、また他の線切断工具もあるが切断口が狭い工具であったり、両手で切断しなければならない工具もある。
【考案の開示】
【考案が解決しようとする課題】
【０００３】  電気配線工事や家屋解体工事においては脚立上やバランスの悪い状態の作業が多い、この場合電気配線切断に両手を用いたり、切断口の狭い工具にはそれなりの手間と気遣いが多い難点があった。
本考案は、これらの欠点を解決するために考案されたものである。
課題を解決するための手段【０００４】  （イ）切断刃（１）の中間付近左側に歯車（８）の凸部を設け、その凸部右横面中央に心棒（７）を差し込む穴（穴１０）を設け、また切断刃（１）の後方に心棒（６）を差し込む穴（穴１２）を設け、さらに切断刃（１）の前部に刃先（１７）を設ける。
切断刃（１′）の中間付近右側に歯車（９）の凹部を設け、その凹部左横面中央に心棒（７′）を差し込む穴（穴１０′）を設け、また切断刃（１′）の後方に心棒（６′）を差し込む穴（穴１２′）を設け、さらに切断刃（１′）の前部に刃先（１７′）を設ける。
切断刃（１）の左側に切断刃（１′）を設け、歯車（８）の凸部と歯車（９）の凹部をかみ合わせ設け、切断刃（１）と切断刃（１′）の下に前方斜カット安定台（３′）を設け、切断刃（１）と切断刃（１′）の上に前方斜カット安定台（３）を設け、前方斜カット安定台（３）の穴（右穴１１）の下に切断刃（１）の穴（穴１０）と前方カット安定台（３′）の穴（右穴１１′）を合わせ心棒（７）を設け装着する、さらに前方斜カット安定台（３）の穴（左穴１１）の下に切断刃（１′）の穴（穴１０′）と前方斜カット安定台（３′）の穴（左穴１１′）を合わせ心棒（７′）を設け装着する。
（ロ）握り取っ手（２）に握り取っ手溝（１５）を設け、握り取っ手（２）の前部に心棒（６）の差し込み穴（上穴１３）と（下穴１３）を設け、心棒（５）の差し込み穴（上穴１４）と（下穴１４）を設け、さらに握り取っ手（２）の穴（上穴１４）と（下穴１４）の周囲部握り取っ手溝（１５）に握り取っ手（２′）の穴（上穴１４′）と（下穴１４′）の周囲部が入いるよう広溝に設ける。
握り取っ手（２′）に握り取っ手溝（１５′）を設け、握り取っ手（２′）の前部に心棒（６′）の差し込み穴（上穴１３′）と（下穴１３′）を設け、心棒（５）の差し込み穴（上穴１４′）と（下穴１４′）を設ける。
（ハ）握り取っ手（２）の握り取っ手溝（１５）の前部握り取っ手穴（上穴１３）と（下穴１３）の間に切断刃（１）の穴（穴１２）周囲を差し込み握り取っ手穴（上穴１３）と（下穴１３）に切断刃（１）の穴（穴１２）を合わせ心棒（６）を差し込む、さらに握り取っ手（２′）の握り取っ手溝（１５′）の前部握り取っ手穴（上穴１３′）と（下穴１３′）の間に切断刃（１′）の穴（１２′）周囲を差し込み握り取っ手穴（上穴１３′）と（下穴１３′）に切断刃（１′）の穴（穴１２′）を合わせ心棒（６′）を設け装着する。
（ニ）スプリング（４）にスプリング輪（１６）を設け、握り取っ手溝（１５）と（１５′）にスプリング（４）を入れ、握り取っ手（２）の穴（上穴１４）と（下穴１４）の間に握り取っ手（２′）の穴（上穴１４′）と（下穴１４′）の周囲を差し入れ、握り取っ手（２）の穴（上穴１４）と（下穴１４）に握り取っ手（２′）の穴（上穴１４′）と（下穴１４′）とスプリング輪（１６）を合わせ心棒（５）を設け装着する。
以上の構成になる切断口の広い電線カッターである。
【考案の作用】
【０００５】  被覆電線を切断するとき被覆電線の切断部を切断刃（１）に設けた刃先（１７）と切断刃（１′）に設けた刃先（１７′）の間に入れ握り取手（２）と握り取っ手（２′）を手で握る、その握力が心棒（５）と心棒（６）と心棒（６′）と切断刃（１）と切断刃（１′）と心棒（７）と心棒（７′）を介して刃先（１７）と刃先（１７′）に切断圧力作用が伝わり被覆電線が切断される。
【考案の効果】
【０００６】  電気配線工事や家屋解体工事における電気配線切断には作業姿勢上片手作業が必要とされる場合が多く、また一般家屋内に使われている被覆電線の太さに容易に対応できる切断口の広い工具であり電線切断作業短縮と安全が得られる。
【実施例１】
【０００７】  以下本案の実施例について説明する。
（イ）切断刃（１）と（１′）の中間付近の穴（穴１０）と（穴１０′）の中心から切断刃の前方先端までの長さを片手作業可能な範囲内のバランスの良い長さに設け、切断刃（１）の中間付近左横側面に歯車（８）の凸部一個を設け、また歯車（８）の右横面中央部に穴（穴１０）を設け、さらに切断刃（１）の後方端に穴（穴１２）を設け、切断刃（１′）の中間付近右横側面に歯車（９）の凹部一個を設け、また歯車（９）の左横面中央部に穴（穴１０′）を設け、さらに切断刃（１′）の後方端に穴（穴１２′）を設け、なお切断刃（１）の前部に刃先（１７）を設け、切断刃（１′）の前部に刃先（１７′）を設ける。
（ロ）前方斜カット安定台（３）と（３′）の波形と斜カット形状は、被覆電線の被覆部分切断の際に被覆切り口部分が広がり前方斜カット安定台（３）と（３′）の上と下に食い込み易い形状に設け、また切断刃（１）と（１′）を横に並べ切断刃（１）の歯車（８）の凸部と切断刃（１′）の歯車（９）の凹部をかみ合わせ歯車（８）と歯車（９）が浅く深く安定してかみ合うように切断刃（１）と（１′）の下に前方斜カット安定台（３′）を設け、上に前方斜カット安定台（３）を設け、前方斜カット安定台（３）の穴（右穴１１）の下に切断刃（１）の穴（穴１０）と前方カット安定台（３′）の穴（右穴１１′）を合わせ心棒（７）を設け、心棒（７）をかしめ、さらに前方斜カット安定台（３）の穴（左穴１１）の下に切断刃（１′）の穴（穴１０′）と前方斜カット安定台（３′）の穴（左穴１１′）を合わせ心棒（７′）を設け、装着し心棒（７′）をかしめる。
（ハ）握り取っ手（２）と（２′）に握り取っ手溝（１５）と（１５′）を設け、握り取っ手（２）の前端に穴（上穴１３）と（下穴１３）を設け、また心棒（５）を差し込む穴（上穴１４）と（下穴１４）を設け、さらに（上穴１４）と（下穴１４）の周囲部を握り取っ手（２′）を差し込める広さに上と下に広く設け、握り取っ手（２′）の前端に穴（上穴１３′）と（下穴１３′）を設け、また心棒（５）を差し込む穴（上穴１４′）と（下穴１４′）を設ける。
（ニ）握り取っ手（２）の穴（上穴１３）と（下穴１３）の間に切断刃（１）の穴（穴１２）の周囲を差し込み握り取っ手（２）の穴（上穴１３）と（下穴１３）に切断刃（１）の穴（穴１２）を合わせ心棒（６）を設け、心棒（６）をかしめ、さらに握り取っ手（２′）の穴（上穴１３′）と（下穴１３′）の間に切断刃（１′）の穴（穴１２′）の周囲を差し込み握り取っ手（２′）の穴（上穴１３′）と（下穴１３′）に切断刃（１′）の穴（穴１２′）を合せ心棒（６′）を設け、装着し心棒（６′）をかしめる。
（ホ）スプリング（４）にスプリング輪（１６）を設け、握り取っ手溝（１５）と（１５′）にスプリング（４）を設け、握り取っ手（２）の穴（上穴１４）と（下穴１４）の間に握り取っ手（２′）の穴（上穴１４′）と（下穴１４′）の周囲を差し込み握り取っ手（２）の穴（上穴１４）と（下穴１４）に握り取っ手（２′）の穴（上穴１４′）とスプリング輪（１６）と握り取っ手（２′）の穴（下穴１４′）を合わせ心棒（５）を設け、装着し心棒（５）をかしめる。
本案は以上のような構造で、これを使用するときは、被覆電線の切断部を刃先（１７）と刃先（１７′）の間に入れ挟み握り取っ手（２）と握り取っ手（２′）を手で握り合わせると、その握力により被覆電線が切断される。
【図面の簡単な説明】
【０００８】
【図１】本考案の斜視図である。
【図２】本考案の一部断面図を示した分解斜視図である。
【符号の説明】
１    切断刃                １′    切断刃
２    握り取っ手            ２′    握り取っ手
３    前方斜カット安定台    ３′    前方斜カット安定台
４    スプリング
５    心棒
６    心棒                  ６′    心棒
７    心棒                  ７′    心棒
８    歯車
９    歯車
１０  穴                    １０′  穴
１１  右穴・左穴            １１′  右穴・左穴
１２  穴                    １２′  穴
１３  上穴・下穴            １３′  上穴・下穴
１４  上穴・下穴            １４′  上穴・下穴
１５  握り取っ手溝          １５′  握り取っ手溝
１６  スプリング輪
１７  刃先                  １７′  刃先
【図１】
0003145602.tif 000003
【図２】
0003145602.tif 000004